(57)【要約】  デンタルフロス・コンテナ（２０）は、底板（２１）と、底板（２１）の周縁から上方に延在し、デンタルフロスのスプール用の蓋なしコンパートメント（２３）を画成する側壁（２２）とを備える。側壁（２２）は、底板（２１）の下方に周辺スカート（２５）として延在し、側壁（２２）は、練り歯磨きキャップの棚にスナップ式ではめ込む従来のスナップ式のクロージャはめ込み部の中に形成されたスカートの低端部（２６）を有する。フロスコンテナ（２０）は、蓋なしコンパートメント用の、蝶番付けされた蓋（３０）を備える。
2007501681.tif 000002
【特許請求の範囲】
【請求項１】
歯磨きの押出可能なコンテナ用の上部はめ込み部を有するクロージャと、
底板と、前記底板の周囲から上方に延び、デンタルフロスのスプール用の蓋なしコンパートメントを画成する側壁とを備えたデンタルフロス用のコンテナと、
前記クロージャのはめ込み部に、はめ込み可能なクロージャはめ込み部であって、それぞれの前記はめ込み部を一方向にのみはめ込むように、前記コンパートメントと、前記クロージャのはめ込み部と、前記クロージャはめ込み部とを取り付けることができるコンテナの下面上のクロージャはめ込み部と、
前記蓋なしコンパートメントと関連して閉じる際に、前記ヒンジに対して動かすように、側壁と一体的に形成され、一体的に蝶番付けられた、蓋なしコンパートメント用の蓋と、
デンタルフロスのスプールを取り付ける軸であって、前記軸は、前記底板又は前記蓋、及び、その上に軸はめ込み部を有するその他の蓋又は底板のうちの一つから突出し、前記軸は、前記低壁又は前記蓋のそれぞれから離れた端部にはめ込み部を有し、前記蓋が前記コンパートメントと関連して閉じるように蝶番付けされている場合に、関連して閉じた際に前記軸はめ込み部と前記軸の前記はめ込み部が前記蓋を保持するようにはめ込む、軸と、
前記コンパートメント内のデンタルフロスが通る前記側壁内の開口部であって、前記コンパートメントと関連して閉じる場合に、前記蓋は前記開口部を部分的に閉じる妨害部を備える、前記側壁内の開口部と、
前記側壁の外面に隣接した前記コンパートメントの上に取り付けたフロス切断用ブレードであって、前記ブレードは、切断用エッジと反対側のエッジとを有し、これらのエッジ間にブレードの軸を規定し、前記開口部と前記切断用エッジとの間でフロス経路を画成するフロス切断用ブレードと、
フロスが前記開口部と前記切断用ブレードとの間に張られる場合に、フロスが引っ張られて接触する前記開口部と前記切断用ブレードとの間のブリッジ部と、
前記ブリッジ部と前記切断用ブレードの間の線に関連した凹んだ輪郭を有し、前記ブリッジ部と前記切断用ブレードとの間の前記側壁の外面の一部と、
前記ブレードは前記切断用エッジが前記開口部から前記反対側のエッジよりも離れており、前記ブレードの軸がフロスの前記経路について０〜４５°の角度で傾くように取り付けられており、
前記開口部と前記ブレードに関連して覆う際に前記ヒンジについて可動するように、前記蓋と一体的に形成され、一体として蝶番付けされたカバーと
を備えたデンタルフロス・ディスペンサ。
【請求項２】
デンタルフロスのスプールをその上に回転可能に取り付ける軸と共に設けられたデンタルフロスのスプール用のコンテナを備え、前記スプールは前記スプールをその上に取り付ける場合に前記軸を貫通させる軸孔を有するトロイダル部を備え、前記スプールが前記軸上で自由に回転することを妨げるように、前記軸と前記孔の内面が摩擦を生じるようにはめ込まれた、デンタルフロス・ディスペンサ。
【請求項３】
壁と、中にあるデンタルフロスが通過する開口部と、前記開口部を部分的に閉じる妨害部とを有するデンタルフロス用コンテナを備えたデンタルフロス用ディスペンサ。
【請求項４】
デンタルフロス用コンテナを備えたデンタルフロス用ディスペンサであって、前記デンタルフロス用コンテナは、壁と、前記デンタルフロス用コンテナ内のデンタルフロスが通過する壁の開口部と、前記側壁の外面に隣接した前記コンパートメントの上に取り付けられたフロス切断用ブレードとを備え、前記フロス切断用ブレードは切断用エッジと反対側のエッジとを有し、前記エッジ間でブレード軸を規定し、前記開口部と前記切断用エッジとの間にフロス経路を規定し、前記切断用エッジが前記開口部から前記反対側のエッジよりも離れ、前記ブレード軸が前記フロス経路について０〜４５°の角度で傾くように、前記ブレードが取り付けられた、デンタルフロス用ディスペンサ。
【請求項５】
底板と、前記底板の周縁から上方に延在し、デンタルフロスのスプール用の蓋なしコンパートメントを画成する側壁とを有するデンタルフロス用コンテナと、
デンタルフロスのスプールを取り付ける軸であって、前記軸は、前記底板又は前記蓋、及び、その上に軸はめ込み部を有するその他の蓋又は底板のうちの一つから突出し、前記軸は、前記低壁又は前記蓋のそれぞれから離れた端部にはめ込み部を有し、前記蓋が前記コンパートメントと関連して閉じるように蝶番付けされている場合に、関連して閉じた際に前記軸はめ込み部と前記軸の前記はめ込み部が前記蓋を保持するようにはめ込み、前記蓋を変形させる圧縮力に対して前記蓋を支持する軸と
を備えた、デンタルフロス用ディスペンサ。
【発明の詳細な説明】
【技術分野】
【０００１】
本発明は、デンタルフロスの取り出し容器である新規な装置、特に、ねり歯磨きチューブ・クロージャの上に取り付けた取り出し容器に関する。
【背景技術】
【０００２】
デンタルフロス取り出し容器がその上に取り付けられた練り歯磨きチューブのコンセプトは周知であって、例えば、先行文献である米国特許第４４２８３８９号には、練り歯磨きチューブのクロージャにはめ込まれたデンタルフロス・コンパートメントが記載されている。米国特許第５７３２７２２号には、一体的に取り付けられたデンタルフロス・コンパートメントと練り歯磨きチューブ・クロージャが記載されている。また、米国特許第４７９７７８３号、米国特許第５９７９７０６号、国際出願公開ＷＯ０１／１３８１６号、ドイツ特許出願公開第２３３３２７６号には、同様のコンセプトが記載されている。米国特許第４８２７９５１号には、ねり歯磨きのポンプ型取り出し容器の上に取り付けたデンタルフロス取り出し容器が記載されている。
【０００３】
【特許文献１】米国特許第４４２８３８９号
【特許文献２】米国特許第５７３２７２２号
【特許文献３】米国特許第４７９７７８３号
【特許文献４】米国特許第５９７９７０６号
【特許文献５】国際出願公開ＷＯ０１／１３８１６号
【特許文献６】ドイツ特許出願公開第２３３３２７６号
【特許文献７】米国特許第４８２７９５１号
【発明の開示】
【発明が解決しようとする課題】
【０００４】
このようなディスペンサには未だ改善及び最適化する余地があり、本発明の目的は、このタイプの改善されたディスペンサを提供することであり、さらに、およそデンタルフロスを改善することである。
【課題を解決するための手段】
【０００５】
本発明に係るデンタルフロス・ディスペンサは、
歯磨きの押出可能なコンテナ用の上部はめ込み部を有するクロージャと、
底板と、前記底板の周囲から上方に延び、デンタルフロスのスプール用の蓋なしコンパートメントを画成する側壁とを備えたデンタルフロス用のコンテナと、
前記クロージャのはめ込み部に、はめ込み可能なクロージャはめ込み部であって、それぞれの前記はめ込み部を一方向にのみはめ込むように、前記コンパートメントと、前記クロージャのはめ込み部と、前記クロージャはめ込み部とを取り付けることができるコンテナの下面の上のクロージャはめ込み部と、
前記蓋なしコンパートメントと関連して閉じる際に、前記ヒンジに対して動かすように、側壁と一体的に形成され、一体的に蝶番付けられた、蓋なしコンパートメント用の蓋と、
前記底板又は前記蓋、及び、その上に軸はめ込み部を有するその他の蓋又は底板の内の一つから突出させてデンタルフロスのスプールを取り付ける軸であって、前記蓋が前記コンパートメントと関連して閉じるように蝶番付けされている場合に、関連して閉じた際に前記軸はめ込み部と前記軸のはめ込み部が前記蓋を保持するようにはめ込むように、前記軸は、前記低壁又は蓋のそれぞれから離れた端部にはめ込み部を有し
前記コンパートメント内のデンタルフロスが通る前記側壁内の開口部であって、前記コンパートメントと関連して閉じる場合に、前記蓋は前記開口部を部分的に閉じる妨害部を備える、前記側壁内の開口部と、
前記側壁の外面に隣接した前記コンパートメントの上に取り付けたフロス切断用ブレードであって、前記ブレードは、切断用エッジと反対側のエッジとを有し、これらのエッジ間にブレードの軸を規定し、前記開口部と前記切断用エッジとの間でフロス経路を画成するフロス切断用ブレードと、
フロスが前記開口部と前記切断用ブレードとの間に張られる場合に、フロスが引っ張られて接触する前記開口部と前記切断用ブレードとの間のブリッジ部と、
前記ブリッジ部と前記切断用ブレードの間の線に関連した凹んだ輪郭を有し、前記ブリッジ部と前記切断用ブレードとの間の前記側壁の外面の一部と、
前記ブレードは前記切断用エッジが前記開口部から前記反対側のエッジよりも離れており、前記ブレードの軸がフロスの前記経路について０〜４５°の角度で傾くように取り付けられており、
前記開口部と前記ブレードに関連して覆う際に前記ヒンジについて可動するように、前記蓋と一体的に形成され、一体として蝶番付けされたカバーと
を備える。
【発明を実施するための最良の形態】
【０００６】
ここで、「上方」及び「下方」並びに関連する用語は、練り歯磨きチューブ又はポンプ等の練り歯磨きコンテナの封止された下端部と、チューブ又はポンプ等の供給用ノズル及びクロージャを配置する上端部との間の方向に関する。
【０００７】
以下に、取り出し容器の好ましい実施の形態について説明する。
【０００８】
クロージャ及びコンパートメントは、ポリプロピレン、ポリアクリレート、又は、ポリメタアクリレート、あるいは同様のプラスチック等の射出成形可能なプラスチックからなることが好ましい。
【０００９】
クロージャは、練り歯磨きチューブの供給用開口部とはめ込み可能であることが好ましい。クロージャは、練り歯磨きチューブの上に取り付けた、外見上はおよそ円筒状ボディを備え、練り歯磨き供給用のノズルを組み込んでおり、また、上部クロージャ部、例えば、ノズルと関連して閉じるように動く蝶番留め部を組み込んでいることが好ましい。ボディは、このようなクロージャ部と一体的に形成することが好ましく、例えば、クロージャ部とボディは、一体型ヒンジによって連結してもよい。クロージャ部とボディは、しっかりと、しかし、取り外し可能なようにノズルと関連して閉じる際にクロージャ部をボディ部にはめ込むことが可能なはめ込み部と共に設けてもよい。このような蝶番留めクロージャ部を円筒状ボディ部と組み合わせて用いることによって、クロージャ部はコンテナのはめ込みが容易な広い上面を持つことができ、このようなクロージャの上部はめ込み部の構成では、コンパートメントをはめ込む上面の周囲に周縁又は棚部を備えてもよい。
【００１０】
また、デンタルフロス用コンテナは、例えば、クロージャの外観と美観上合う、およそ円筒状外観であることが好ましい。その結果、このような構成では、底板はおよそ平坦であって、ディスペンサを取り付ける練り歯磨きチューブの上下方向について垂直であってもよい。側壁は、この上下方向におよそ延在している。オープントップは、側壁の上端によって画成される周縁（ｒｉｍ）によって境界付けてもよい。
【００１１】
クロージャはめ込み部は、底板の周囲から下方に延びるスカートを備えてもよく、このスカートは、クロージャの上部はめ込み部、例えば、上述の縁部又は棚部にはめ込める。これらのはめ込み部は、コンテナを外す、及び／又は、置換することができる取り外し可能なスナップ式のものによってはめ込んでもよい。
【００１２】
クロージャのはめ込み部及びクロージャはめ込み部は、クロージャのはめ込み部の上方に向いた対応する面と一体となるように形成された低端部を有するスカートによって、それぞれのはめ込み部が一方向のみにはめ込まれるように形成してもよい。例えば、スカートは、その周囲に上下方向に変位して波打つ、例えば、およそ正弦波曲線を有する低端部を有してもよい。
【００１３】
蓋は、およそ上下方向について垂直な平坦であり、下方からの平面図において側壁の上端部の断面に対応する形状を有する。一体型ヒンジは、既知のタイプのプラスチックフィルム状ヒンジ又はリブ（ｌｉｖｅ）・ヒンジであればよい。
【００１４】
蓋及び側壁は、閉じた状態で蓋及び側壁を互いにしっかりと保持するように、それぞれはめ込みの特徴、例えば、スナップ式はめ込みの特徴を備えて設けてもよい。
【００１５】
しかし、また、以下に記載するように、軸は、蓋とコンパートメント用のクロージャ手段を提供することが好ましい。軸は、底板からコンパートメント内の上方に延びており、底板と一体的に形成、例えば、モールドされていることが好ましい。その結果、軸はめ込み部は、蓋の下面の上に構成される。軸は、底板から離れた端部に、蓋の下面上のスナップ式はめ込み部と対応する、はめ込み部を有してもよい。例えば、軸は、底板から離れた端部にソケットを有してもよく、コンパートメントと関連して閉じるように蓋が蝶番付けされる場合に、プラグ部をオス型スナップ式ではめ込む。別の例では、軸は、蓋の下面上のソケットとオス型ではめ込まれる、底板から離れた端部にはめ込み部を有してもよい。この構成によれば、蓋を変形させる圧縮力に対して蓋を支持するように、軸を相対的に構造的に強くすることができる。これは、蓋がコンパートメントの上部から下方に押された場合や、蓋を閉じるように圧縮力が加わった場合に、ディスペンサの自動的な組立ての間にも有効である。
【００１６】
デンタルフロスのスプールは、上下軸に平行な回転軸に対して回転可能なように、回転軸の上に取り付けてもよく、それによってスプールを軸から外すことができる。通常、このようなスプールは、スプールを取り付ける場合に軸を貫通させる軸孔を有するトロイダル部を備える。好ましい実施形態では、軸と孔の内面は、スプールが軸上で自由に回転するのを妨げるように摩擦を生じるようにはめ込まれた部分を有する。例えば、軸は、円筒状であってもよく、また、円形状の縁から外側に延びて、孔の内面と摩擦を生じるようにはめ込むためのはめ込み部、例えば複数の、好ましくは少なくとも３つの周辺から、放射状に、接して、あるいは半径方向に平行に、外側に延びるフィンを有してもよい。別の例では、孔は円筒状であってもよく、円形状の縁から内側に延びて、軸と摩擦を生じるようにはめ込むためのはめ込み部、例えば複数の、好ましくは少なくとも３つの周辺から、放射状に、接して、あるいは半径方向に平行に、内側に延びるフィンを有してもよい。スプールの自由な回転を妨げることによって、意図しないフロスのほどけを防止でき、さもなければスプールのジャミングが起きていたであろう。
【００１７】
側壁は、上下軸にわたる断面がおよそ円形であることが好ましく、円筒状のコンパートメントを画成するが、側壁の上部のセグメントは円形から外れ、およそ円形の弦に延びており、開口部は側壁のこのセグメントを介して設けられている。この構成によれば、カバーが開口部に関連して覆う場合に、カバーと側壁が共に実質的に円形の断面を有するように、上述のカバーは、断面が円形の部分を有してもよい。このような構成では、空洞部は、カバーの内面と側壁のセグメントとの間に形成してもよい。
【００１８】
開口部は、このセグメントにスロットを有し、スロットは上下方向に延び、上端部で開いており、妨害部は、蓋と一体的に形成され、蓋がコンパートメントと関連して閉じる場合、妨害部は、このようなスロットにフィットし、あるいはスロットを部分的に閉じる壁を備える。このような構成によって、フロスをスロットの上部開放端に挿入して、開口部を貫通させることができるようにし、それによって妨害部が残りの開口部をちょうどフロスに十分なくらいのままに働くように蓋を閉じることができる。これによって、フロスが水分と接触することで伸びる、いわゆる「伸びるフロス」の場合には、開口部を介して水分がコンパートメントに入る可能性を減らすことができる。
【００１９】
蓋と一体的に形成され、一体的に蝶番付けされた蓋は、蓋とコンテナの側壁の両方に一体的に射出成形してもよい。カバーとコンテナ、例えば、側壁は、関連してカバーする際に、しっかりと、しかし容易に取り外すことができるようにカバーを保持するようにスナップ式はめ込み部と設けることが好ましい。
【００２０】
ブリッジ部は、側壁、例えば、セグメントと一体的に形成された袖壁（ｗｉｎｇ  ｗａｌｌ）を備えてもよく、円筒形状の断面のコンパートメントの直径に対して垂直に、且つ、上下方向に平行に延在し、側壁から離れたエッジを有することが好ましい。フロス経路に関連して凹んだ輪郭を有する側壁の外面の一部によって、ディスペンサのユーザは、指又は指の爪をフロスと側壁との間に形成された凹みに入れることができる。フロスが開口部からこのブリッジ部の離れた端部にわたって引かれた場合には、フロス経路によって側壁の領域から離れた地点にフロスを速やかに開口部の近くに持っていくことができ、そのために、凹みの輪郭をフロス経路に関連して深くする。
【００２１】
フロス切断用ブレードは、およそ従来の小さな金属片であってもよく、例えば、側壁の対応する取り付け用箇所、例えば、セグメント上の取り付け用ブラケットの上にブレードを取り付けることができる取り付け部とともに一体的に形成してもよい。ブレードの上下軸が鋭角、例えば５〜３０°の角度で上下軸から傾くように、ブレードを、側面、例えばセグメントに近い端部で取り付けてもよく、側面から低端部よりも離れた上端部に取り付けてもよい。これによって、ユーザはフロスをブレードと側壁の間に簡単に挿入することができる。切断用エッジが開口部から反対側のエッジより遠くなり、これらのエッジ間のブレード軸がフロス経路について０〜４５°の角度で傾くように、ブレードを取り付ける。この配置によって、フロスの端部を残すことができ、フロスを切断した後、ブレードと側壁の間の圧力でブレードの切断用エッジによって保持できる。
【００２２】
カバーの内面と側壁のセグメントとの間に形成された上述の空洞部によって、開口部と、ブリッジと、ブレードと、開口部とフロスの切断端との間に延び、ブレードと側壁との間の圧力でブレードの切断用エッジで保持されるフロスの残りとを覆うことができ、それによって、損傷や汚染からフロスとブレードを保護し、ユーザ等の人がブレードによって傷つくことから保護している。
【００２３】
また、デンタルフロス・ディスペンサの上述の記載は、デンタルフロス・ディスペンサの分野において本質的に新規であって進歩性のある特徴に関するものである。
【００２４】
そこで、本発明の別の態様のデンタルフロス・ディスペンサは、デンタルフロスのスプールをその上に回転可能に取り付ける軸と共に設けられたデンタルフロスのスプール用のコンテナを備え、前記スプールは前記スプールをその上に取り付ける場合に前記軸を貫通させる軸孔を有するトロイダル部を備え、前記スプールが前記軸上で自由に回転することを妨げるように、前記軸と前記孔の内面は摩擦を生じるようにはめ込まれたものである。
【００２５】
本発明のさらに別の態様のデンタルフロス用ディスペンサは、壁と、中にあるデンタルフロスが通過する開口部と、前記開口部を部分的に閉じる妨害部とを有するデンタルフロス用コンテナを備えたものである。
【００２６】
本発明のさらに別の態様のデンタルフロス用ディスペンサは、デンタルフロス用コンテナを備えたデンタルフロス用ディスペンサであって、前記デンタルフロス用コンテナは、壁と、前記デンタルフロス用コンテナ内のデンタルフロスが通過する壁の開口部と、前記側壁の外面に隣接した前記コンパートメントの上に取り付けられたフロス切断用ブレードとを備え、前記フロス切断用ブレードは切断用エッジと反対側のエッジとを有し、前記エッジ間でブレード軸を規定し、前記開口部と前記切断用エッジとの間にフロス経路を規定し、前記切断用エッジが前記開口部から前記反対側のエッジよりも離れ、前記ブレード軸が前記フロス経路について０〜４５°の角度で傾くように、前記ブレードが取り付けられたものである。
【００２７】
本発明のさらに別の態様のデンタルフロス用ディスペンサは、底板と、前記底板の周縁から上方に延在し、デンタルフロスのスプール用の蓋なしコンパートメントを画成する側壁とを有するデンタルフロス用コンテナと、
デンタルフロスのスプールを取り付ける軸であって、前記軸は、前記底板又は前記蓋、及び、その上に軸はめ込み部を有するその他の蓋又は底板のうちの一つから突出し、前記軸は、前記低壁又は前記蓋のそれぞれから離れた端部にはめ込み部を有し、前記蓋が前記コンパートメントと関連して閉じるように蝶番付けされている場合に、関連して閉じた際に前記軸はめ込み部と前記軸の前記はめ込み部が前記蓋を保持するようにはめ込み、前記蓋を変形させる圧縮力に対して前記蓋を支持する軸と
を備えたものである。
【００２８】
本発明のこれらの態様の好ましい実施形態は、以上に示した通りである。
【００２９】
本発明について、以下に、添付図面を用いて説明する。なお、明確にするために、図１から図５において、上方−下方の方向を記載している。
【００３０】
図１を参照すると、押出可能な歯磨き剤のコンテナ用のクロージャが全体１０として示される。これはプラスチック材料で一体的に形成され、従来の練り歯磨きチューブ（図示せず）の貫通ノズル（図示せず）を有する従来の方法ではめ込み可能な低部のおよそ円筒状ボディ１１を備える。図２の開放配置に示されるように、クロージャ１０は、練り歯磨き用の供給ノズル１２を組み込んでいる。クロージャ１０は、図１に示されるように、ノズル１２と関連して閉じることが可能な蝶番留めの頂部である上部クロージャ部１３を組み込んでいる。
【００３１】
ボディ１１は、クロージャ部１３と一体的に形成され、クロージャ部１３とボディ１１は、一体型ヒンジ１４で連結される。このクロージャ部１３とボディ１１は、ノズル１２と関連して閉じる際に、しっかりと、しかし取り外し可能なようにクロージャ部１３をボディ部１１にはめ込み可能な従来のスナップ式のはめ込み部１５、１６と共に設けられる。クロージャ部１３は、周囲に周状の棚部１８がある広い上面１７を有する。この棚部１８によって、記載するデンタルフロス・コンテナ２０にはめ込むことができる。
【００３２】
図３、４及び５を参照すると、デンタルフロス・コンテナ２０の通常のオープン配置の場合が示されている。コンテナ２０は、底板２１と、底板２１の周囲から上方に延びて、デンタルフロス（図示せず）のスプールのための蓋なしのコンパートメント２３を画成する側壁２２とを備える。このコンパートメントは、普通の円筒形状であるが、側壁２２の上部のセグメント２４は、円形から外れており、およそ円形の弦に沿って延びている。
【００３３】
側壁２２は、底板２１から下方に向かって周辺スカート２５のように延びており、クロージャはめ込み部の中に形成されたスカートの低端部２６を有する。このクロージャはめ込み部は、棚１８にスナップ式のはめ込み可能な従来のスナップ部（図示せず）である。端部２６と棚１８は、低端部２６と棚１８においてはめ込み部が単一方向でのみスナップ式ではめ込むことが可能なように形成される。これは、およそ正弦波曲線で縁部の周囲に上下方向に変位して波打つ低端部２６によって示されるように実現でき、図１に示すように、棚部１８を同様に波打たせることによって、端部２６及び棚部１８を一方向にのみはめ込むことができる。
【００３４】
また、コンテナ２０は、蓋なしコンパートメント２３用の蓋３０を備える。
この蓋３０は、側壁２２と一体的に形成され、フィルム上ヒンジ３１によって一体的に蝶番留めされ、蓋なしコンパートメントと関連して閉じる際に、蓋３０をヒンジについて動かすことができる。図３及び図４では、蓋３０は、コンパートメント２３について開放して示されており、図５では、蓋３０はコンパートメント２３について閉じている。蓋３０の周囲には、蓋３０と壁２２の間を堅く、およそしっかりとしたシールを形成することを補助するためにコンパートメント２３のオープントップ内に合う棚３２が形成される。
【００３５】
デンタルフロス（図示せず）のスプールを回転可能に取り付けることができる軸４０を側壁２１と一体的に形成する。軸４０は、上下方向に突出する。軸４０は、その周囲から半径方向外側に向かって延びる複数の、ここでは３つのフィン４１を有するおよそ円筒形状である。これらのフィン４１は、スプールが自由に回転するのを妨げるように、軸４０の上に取り付けたフロスのスプールと擦るようにはめ込まれ、それによって意図しないフロスのほどけを妨げることができる。
【００３６】
側壁２２から離れた軸４０の端部には、メス型ソケットであるスナップ式はめ込み部４２がある。蓋３０は、下面に対応するオス型スナップ式はめ込み部３３を有し、それによって、蓋が図５に示す閉じた状態にある場合に、はめ込み部４２、３３によって、蓋を閉じた状態に保持するようにはめ込む。
【００３７】
軸４０は、下方への圧縮力に対して十分に構造的に強く作られており、蓋３０が閉じた状態の場合に、蓋３０を変形させようとする圧縮力に対して、軸４０によって蓋３０を支持する。コンテナ２０の自動的な組立の間に、及び／又はクロージャ１０への組立の間に、蓋はコンパートメント２３の上で下方に押されることがあり、圧縮力が蓋３０に加わることがある。支持軸４０は、このような圧力による変形に対して蓋３０を有効に支持することができる。
【００３８】
側壁２２のセグメント２４には、使用時にコンパートメント２３内のデンタルフロス（図示せず）がコンパートメント２３の内側から外側に通る開口部５０がある。開口部５０は、セグメント２４内のスロットを備え、そのスロットは上下方向に延び、その上端で開いている。妨害部３４が蓋３０の下面で一体的に形成されており、妨害部３４は、この下面からの小さな突出部を備え、その突出部は上下方向の軸にわたる断面がおよそ「Ｔ」型形状である。蓋を閉じた状態では、図５に示すように、コンパートメント２３と関連して蓋３０を閉じた場合には、開口部５０を部分的に閉じるように、「Ｔ」型のステムは、スロット５０内の下方にかみ合い、「Ｔ」型の２つのアームは、壁２４の内面に対してかみ合う。図５に示すように、開口部５０にわずかな開口部分を残すように、妨害部３４のステムによって、開口部５０を部分的に閉じる。
【００３９】
フロス切断用ブレード６０は、側壁のセグメント２４の上に取り付けられる。フロス切断用ブレード６０は、およそ通常の小さな金属片であり、ブレード６０をその上に取り付けることができるようにセグメント２４の取り付け部６２をちょうど覆うことができる取り付け部６１と一体的に形成される。図５に示すように、ブレード６０は、ブレードの低端部６０Ａを側壁２４に隣接させて取り付けられ、反対側の上端を側壁２４から低端部６０Ａよりも離しておき、それによってブレードの上下軸を上下軸から、例えば５〜３０°傾けることができる。ブレード６０は、鋭い切断用エッジ６３と、ブレード６０の上下軸の他方の側に反対側の端部６４とを有し、図５に示すように、ブレード６０を取り付けることによって、反対側のエッジより開口部５０から遠くすることができる。フロスの経路は、開口部５０と切断用エッジ６３の間で画成される。図５に示すように、エッジ６３、６４の間のブレードの軸は、フロスの経路について０〜４５°で傾いている。セグメント２４と一体的に形成されたブリッジ部６５は、セグメント２４の線から垂直に延びており、開口部５０と切断用エッジ６３の間のフロスの経路に配置される。フロスはユーザによって開口部５０から引き出され、フロスはセグメント２４とブレード６０の間に入れられ、緊張して引っ張られるので、フロスは壁２４から離れたブリッジ部６５のエッジ６６に接触する。ブリッジ部６５とブレード６０の間で壁２４には、ブリッジ部６５のエッジ６６と切断用エッジ６３の間の線に関連した符号６７で表すへこみの輪郭を有する。ブレード６０の上述の配置によって、フロス（図示せず）の端部を残すことができ、切断後には、ブレード６０の切断用エッジ６３によってブレード６０と側壁２４の間に押さえて保持することができる。
【００４０】
カバー７０は、蓋３０と一体的に形成され、一体型フィルムヒンジ７１によって一体的に蝶番付けされる。これによって、開口部５０とブレード６０と関連して覆うように、カバー７０をヒンジ７１に対して動かすことができる。カバー７０と側壁２２は、覆う際に、しっかりと、しかし取り外し可能なようにカバー７０を側壁２２にはめ込むことができるスナップ式はめ込み部７２、７３のそれぞれに対して設けられる。
【００４１】
使用時には、ディスペンサは、練り歯磨きチューブのノズル（図示せず）にはめ込まれた位置でクロージャ１０と、それにはめ込まれたコンパートメント２０の形態で設けられる。コンパートメント２３内の軸４０を貫くスプール（図示せず）の上のデンタルフロス（図示せず）の先端は開口部５０から延びて、ブリッジ部６５にわたって、蓋３０とカバー７０を閉じた状態で、切断用エッジ６３と壁２４の間で把持されている。
【００４２】
図５には、カバー７０の低端部に設けられた便利なノッチ７４によって、ユーザが親指か爪を入れてカバー７０を開けた場合のコンテナが示されている。ユーザは、フロス（図示せず）と近くのくぼみ６７との間に指先又は爪を入れてフロスをつかむことができる。フロスの適当な長さは、開口部５０の外側にブレード６０と壁２４との間に示してもよい。フロスの一部を引っ張ってブレードに向かって延ばし、切断用エッジ６３で使用するフロスを切断する。その後、カバー７０は、閉じられ、フロスが使用される。
【図面の簡単な説明】
【００４３】
【図１】閉じた配置の練り歯磨きチューブ・クロージャの概略図である。
【図２】図１の練り歯磨き封入チューブの開放配置の概略図である。
【図３】デンタルフロス・コンテナの概略図である。
【図４】図３のコンテナ内部の更に詳細な概略図である。
【図５】図３のコンテナの閉じた状態のデンタルフロス切断用部材を示す概略図である。
【符号の説明】
【００４４】
１０  練り歯磨きチューブ・クロージャ（全体）
１１  低部円筒状ボディ
１２  練り歯磨き用供給ノズル１２
１３  上部クロージャ部
１４  一体型ヒンジ
１５、１６  スナップ式エンゲージメント部
１７  上面
１８  周状棚部
２０  デンタルフロス・コンテナ
２１  底板
２２  側壁
２３  デンタルフロスのスプール用の蓋なしコンパートメント
２４  側壁の上部のセグメント
２５  周縁スカート
２６  スカートの低端部
３０  コンパートメント用蓋
３１  フィルムヒンジ
３２  棚
３３  オス型スナップ式はめ込み部
３４  妨害部
４０  デンタルフロスのスプール用軸
４１  フィン
４２  メス型スナップ式はめ込み部
５０  開口部
６０  フロス切断用ブレード
６０Ａ  ブレードの低端部
６１  ブレードの取り付け部
６２  側壁の取り付け部
６３  鋭い切断用エッジ
６４  反対側のエッジ
６５  ブリッジ部
６６  ブリッジ部のエッジ
６７  壁のへこみの輪郭
７０  カバー
７１  一体型フィルムヒンジ
７２、７３  スナップ式エンゲージメント部
７４  ノッチ
【図１】
2007501681.tif 000003
【図２】
2007501681.tif 000004
【図３】
2007501681.tif 000005
【図４】
2007501681.tif 000006
【図５】
2007501681.tif 000007
【国際調査報告】
2007501681.tif 000008